(57)【要約】【課題】携帯通信端末、外部表示装置、外部入力装置を接続した場合に、携帯通信端末が外部表示装置と外部入力装置の組み合わせによる最適なユーザインターフェイスを認識しつつ、それらの構成情報に応じたユーザインターフェイスをユーザに提供することができる通信接続システムおよび通信接続システムのプログラムを提供することである。【解決手段】通信接続システム１００のスマートフォン２００は、送信部２５０によりキーボード３００からの入力信号を受け取ることにより、ディスプレイ４００に対して、ユーザインターフェイス種別要請信号を送信する。受信部２６０により、ディスプレイ４００からのユーザインターフェイス種別構成信号を受信する。表示制御部２７０によりユーザインターフェイス種別構成信号に応じてスマートフォン２００に予め記録されたインターフェイスのモードを選定し、選定されたディスプレイ４００に供給して表示させる。【選択図】図３
2018042260.tif 000002
【特許請求の範囲】
【請求項１】
外部表示装置と、
外部入力装置と、
前記外部表示装置へ表示信号を出力する外部表示接続部および、前記外部入力装置と接続可能な外部入力接続部を有する携帯通信端末と、を含み、
前記携帯通信端末は、
前記外部入力装置と通信をおこない、
前記外部入力装置から前記外部入力装置が前記携帯通信端末に対して外部入力装置として提供可能な機能を示すシステム情報を含む構成信号を受信する受信部と、
前記携帯通信端末内に予め記録された、前記外部表示装置に供給して表示させるための複数のユーザインターフェイスの動作モードの中から、
前記構成信号に応じて前記ユーザインターフェイスの動作モードを選定する第１選定部と、
前記構成信号にかかわらず予め設定されている前記ユーザインターフェイスの動作モードを選定する第２選定部を持ち、
前記第１選定部と前記第２選定部のいずれかを選択する選択部を持ち、
前記選択部によって選択された前記ユーザインターフェイスの動作モードのユーザインターフェイス画像を前記外部表示装置に供給して表示させる表示制御部と、
を有する、通信接続システム。
【請求項２】
前記携帯通信端末の前記第１選定部は、
前記構成信号と前記携帯通信端末の外部表示接続部と前記外部表示装置との接続に応じて前記携帯通信端末内に予め記録されたユーザインターフェイスの動作モードを選定し、選定された前記ユーザインターフェイスの動作モードのユーザインターフェイス画像を前記外部表示装置に供給して表示させる表示制御部と、を有する、請求項１に記載の通信接続システム。
【請求項３】
前記構成信号は、さらに前記外部表示装置と前記外部入力装置との接続有無情報を含む、請求項１または２に記載の通信接続システム。
【請求項４】
前記外部表示装置は、表示部を含み、
前記外部入力装置は、操作部を含み、
前記操作部と前記表示部とが一体に設けられたタッチパネル式、前記操作部と前記表示部とが脱着可能に設けられた分離可能形式、および前記操作部と前記表示部とが分離して設けられた分離形式のいずれかである、請求項１乃至３のいずれか１項に記載の通信接続システム。
【請求項５】
前記外部表示装置および前記外部入力装置の少なくとも一方は、
少なくとも操作部および表示部を含み、
前記操作部と前記表示部とが一体に設けられたタッチパネル式、前記操作部と前記表示部とが脱着可能に設けられた分離可能形式、および前記操作部と前記表示部とが分離して設けられた分離形式のいずれかである、請求項１乃至３のいずれか１項に記載の通信接続システム。
【請求項６】
前記携帯通信端末は、
外部表示接続部および外部入力接続部の接続状況に応じて、前記受信部および前記表示制御部を自動的に動作させる、請求項１から５のいずれか１項に記載の通信接続システム。
【請求項７】
前記携帯通信端末の外部表示接続部は、
前記外部表示装置が存在しないと認識した場合、前記外部表示接続部からユーザインターフェイス画像を出力させない、請求項１から６のいずれか１項に記載の通信接続システム。
【請求項８】
前記外部入力装置は、電源制御部を有し、
前記電源制御部は、前記携帯通信端末へ電源供給の制御を行なう、請求項１から７のいずれか１項に記載の通信接続システム。
【請求項９】
外部表示装置、外部入力装置、および前記外部表示装置へ表示信号を出力する外部表示接続部および、前記外部入力装置と接続可能な外部入力接続部を有する携帯通信端末に用いる通信接続システムのプログラムであって、
前記携帯通信端末は、
前記外部入力装置と通信をおこない、
前記外部入力装置から前記外部入力装置が前記携帯通信端末に対して外部入力装置として提供可能な機能を示すシステム情報を含む構成信号を受信する受信処理と、
前記携帯通信端末内に予め記録された、前記外部表示装置に供給して表示させるための複数のユーザインターフェイスの動作モードの中から、
前記構成信号に応じて前記ユーザインターフェイスの動作モードを選定する第１選定処理と、
前記構成信号にかかわらず予め設定されている前記ユーザインターフェイスの動作モードを選定する第２選定処理と、
前記第１選定処理と前記第２選定処理のいずれかを選択する選択処理と、
前記選択処理によって選択された前記ユーザインターフェイスの動作モードのユーザインターフェイス画像を前記外部表示装置に供給して表示させる表示制御処理と、
を有する、通信接続システムのプログラム。 
【発明の詳細な説明】
【技術分野】
【０００１】
本発明は、外部表示装置、外部入力装置および携帯通信端末における通信接続システムおよび通信接続システムのプログラムに関する。
【背景技術】
【０００２】
従来から、携帯通信端末に関する通信接続システムについて、種々の研究開発が行なわれている。例えば、特許文献１（特表２０１２−５１７１８８号）には、携帯電話およびその他の装置が、テレビまたはその他のビデオメディアの楽しみを補完するために使用するテレビベースの広告と携帯電話向けＴＶウィジェットの配信について開示されている。
【０００３】
特許文献１（特表２０１２−５１７１８８号）記載のテレビベースの広告と携帯電話向けＴＶウィジェットは、（ａ）テレビ画面上に表示され、画面上に表示されたビデオ番組に関連したコンテンツまたはインタラクティビティを提供するソフトウェアウィジェットに対するユーザの関心を、携帯電話を使用して示すステップと、（ｂ）示された関心に応じて、ソフトウェアウィジェットの一バージョンを携帯電話に転送するステップと、を備えることを特徴とするものである。
【０００４】
また、特許文献２（特開２００９−０１６９６７号）には、外部機器から受け取ったコンテンツデータを再生して得られる映像を、簡易な操作で表示装置に表示することが可能
な情報処理装置、情報処理装置の制御方法および表示システムについて開示されている。
【０００５】
特許文献２（特開２００９−０１６９６７号）記載の情報処理装置、情報処理装置の制御方法および表示システムは、映像信号を表示装置に出力すると共に、制御信号を表示装置と通信する第１の接続手段と、外部端末からコンテンツデータの再生要求信号を受信すると共に該コンテンツデータを受信する、第１の接続手段とは異なる第２の接続手段と、外部端末内に記憶されているコンテンツデータの再生要求信号を受信すると、表示装置を起動させる制御信号を第１の接続手段から送信する起動手段と、起動手段による表示装置の起動後、外部端末から第２の接続手段で受信するコンテンツデータを復号化する復号化手段と、復号化手段で復号化したコンテンツデータの映像信号を第１の接続手段から出力する出力手段とを備えることを特徴とするものである。
【０００６】
また、特許文献３（特開２００８−１０３８６８号）には、外部受信装置をリモート・コントロールするほか、この外部受信装置でテレビ放送を視聴しながらそのデータ放送内容を手元で確認できるようにする携帯端末装置及びプログラムについて開示されている。
【０００７】
特許文献３（特開２００８−１０３８６８号）記載の携帯端末装置及びプログラムは、データ放送が多重化されたデジタルテレビ放送を受信して出力する放送受信機能を有した携帯端末装置であって、テレビ放送を受信して出力する外部受信装置をリモート・コントロールするリモコンモードを指定する指定手段と、リモコンモード下においてチャンネル選択指示があった際に、その選択チャンネルを外部受信装置に対して送信出力するほか、この選択チャンネルのデータ放送内容を放送受信機能から取得して当該携帯端末側で出力する出力制御手段と、を具備したことを特徴とするものである。
【０００８】
また、特許文献４（特開２００７−１７９２１０号）には、映像表示装置と携帯端末とを連携させ、システム上で提供するサービスを容易に切り換えることを可能とし、その利用状況の情報を効率よくかつ信頼性、保存性も維持した形で収集して、利用率に応じた従量課金を行なうサービス提供システム、インタラクティブディスプレイ装置及びサービス提供方法について開示されている。
【０００９】
特許文献４（特開２００７−１７９２１０号）記載のサービス提供システム、インタラクティブディスプレイ装置及びサービス提供方法は、利用者に提供するサービスを切り換えて提供するサービス提供システムにおいて、画面を表示するディスプレイ、利用者の手持ちの携帯電話、ＰＣ等と連携して動作するインタラクティブ機能、予め設置する際に複数のアプリケーションを組み込んだアプリケーション実行機能を有する情報提供装置であるインタラクティブディスプレイ装置と、該インタラクティブディスプレイ装置と通信回線により接続され、インタラクティブディスプレイ装置で実行するアプリケーションを管理する管理サーバと、実行するアプリケーションに関する情報を記録するメモリカードとを備え、インタラクティブディスプレイ装置は、メモリカードが挿入されることにより、そのメモリカード内の情報に応じて、複数のアプリケーションの１つを選択、変更して実行することによりサービスを提供し、アプリケーションの実行中に、実行中のアプリケーションが出力したログ情報を、予め定められた重み付けをもって、メモリカード、インタラクティブディスプレイ装置内に保持すると共に、ネットワーク経由で管理サーバに保存させ、ネットワーク経由で管理サーバにログを保存させる際、ネットワークの状態を監視し、その状態に応じてログの情報の全部、一部、あるいは、そのログ情報から作成したＨａｓｈ値を送信することを特徴とするものである。
【００１０】
さらに、特許文献５（特開２００２−３１８７５５号）には、情報配信元から公衆通信回線網を経由して携帯通信端末が受信した情報配信データを任意の分離条件で分離すると共に任意の格納条件で複数の格納場所に格納し、該情報配信データを情報配信ネットワーク経由で複数の表示制御装置に配信するＰＤＡ利用の情報配信方法と情報配信の提案について開示されている。
【００１１】
特許文献５（特開２００２−３１８７５５号）記載のＰＤＡ利用の情報配信方法と情報配信システムは、情報配信装置からの個人呼出しや各種情報サービスなどの配信情報の配信情報データを公衆通信回線網経由で受信する個人呼出用のポケット端末や個人情報伝達用のハンドヘルド端末などの携帯通信端末（以下ＰＤＡと略称する）と、ＰＤＡと配信情報データのインターフェイス（以下Ｉ／Ｆと略称する）を行なうデータＩ／Ｆ手段と、データＩ／Ｆ手段が受信した配信情報データに基づき配信番組の配信番組データを作成すると共に所定の格納区画に格納する番組配信制御手段と、配信情報データや配信番組データを格納するデータ格納手段と、配信情報データもしくは配信番組データを通信出力する通信制御手段とを有する情報受配信端末と、配信情報データもしくは配信番組データを配信する情報配信ネットワークと、情報配信ネットワークとの通信接続制御を行なうと共に配信情報データもしくは配信番組データを受信し所定の場所に格納するデータ送受信手段と、配信番組データに基づき表示番組データを生成する表示制御手段と、配信番組データを格納記憶するデータ記憶手段と、表示番組データを表示出力する表示部を有する表示制御装置とで構成する情報配信システムであって、情報受配信端末の、データＩ／Ｆ手段は配信情報データをＰＤＡ経由で受信し、番組配信制御手段は、受信した配信情報データを予め設定記憶された番組ＩＤ毎の番組情報データに分離し、配信情報データもしくは分離された番組情報データをデータ格納手段に格納記憶するとともに、格納記憶された配信情報データもしくは番組情報データを複数の表示制御装置に配信するようにしたことを特徴とするものである。
【００１２】
特許文献６（特開２０１１−２４４４３８号）には、タッチパネル手段を備える携帯情報処理装置において、十分な大きさのサイズ及び画面解像度を有する入力用画面と表示用画面とを確保することにより、ユーザの利便性を向上させることを、外部装置とのインターフェイス手段の追加と、もともと備えている信号処理制御手段への若干の機能追加だけによって実現する記載のタッチパネル手段を備える携帯情報処理装置及び該携帯情報処理装置用プログラムについて開示されている。
【００１３】
特許文献６（特開２０１１−２４４４３８号）記載のタッチパネル手段を備える携帯情報処理装置には、信号処理制御手段から受信したデジタル表示信号に基づいて画像を画面表示する表示機能と、画面表面への接触、押圧、入射光の遮蔽等のマニュアル操作を検知し、「該マニュアル操作に対応した信号」（以下、「マニュアル操作信号」と略記する）を生成して、信号処理制御手段に送信する入力機能とを有する  タッチパネル手段と；データ処理手段を動作させるプログラムを格納する記憶手段と；タッチパネル手段から受信したマニュアル操作信号をデータに変換し、該データと記憶手段に格納されたプログラムに基づいてデジタル表示信号を生成して、タッチパネル手段及び／又は外部出力インターフェイス手段に送信する信号処理制御手段と；ディスプレイ手段を備えるか、又は、ディスプレイ手段を接続するかする外部装置が接続され、該外部装置に対して、信号処理制御手段から受信したデジタル表示信号に基づき、外部表示信号を送信する外部出力インターフェイス手段と；を備えた上で、信号処理制御手段は、タッチパネル手段から受信したマニュアル操作信号をデータに変換するとともに、１系統のデジタル表示信号を生成してタッチパネル手段だけに送信する制御モード１と；タッチパネル手段から受信したマニュアル操作信号を制御モード１とは異なる仕方でデータに変換するとともに、２系統のデジタル表示信号を生成し、一方をタッチパネル手段に送信し、他方を外部出力インターフェイス手段に送信する制御モード２と；を選択的に実現する、ものである。
【先行技術文献】
【特許文献】
【００１４】
【特許文献１】特表２０１２−５１７１８８号公報
【特許文献２】特開２００９−０１６９６７号公報
【特許文献３】特開２００８−１０３８６８号公報
【特許文献４】特開２００７−１７９２１０号公報
【特許文献５】特開２００２−３１８７５５号公報
【特許文献６】特開２０１１−２４４４３８号公報
【発明の概要】
【発明が解決しようとする課題】
【００１５】
特許文献１記載のテレビベースの広告と携帯電話向けＴＶウィジェットの配信は、テレビ画面上のコンテンツに対して携帯電話を用いて関心を示すように設けられている。また、特許文献２記載の情報処理装置、情報処理装置の制御方法および表示システムは、携帯電話からコンテンツデータの再生要求信号を受信すると、表示装置を起動させ、デコードしたコンテンツデータを表示装置に出力させるものである。
【００１６】
また、特許文献３記載の携帯端末装置及びプログラムにおいては、テレビ放送を視聴しながら、外部受信装置を携帯通信端末でリモート・コントロールするものである。
【００１７】
また、特許文献４記載のサービス提供システム、インタラクティブディスプレイ装置及びサービス提供方法は、映像表示装置と携帯端末とを連携させ、システム上で提供するサービスを容易に切り換えることができるものである。
【００１８】
また、特許文献５記載のＰＤＡ利用の情報配信方法と情報配信システムは、（１）ＰＤＡのように比較的単純な通信端末を利用して、広域に設置された多数の表示制御装置に多岐に渡る情報を配信することが出来、（２）複数の番組情報を組み合わせて新たな番組情報を作成して、複数の任意の表示制御装置に配信することが出来、（３）ＰＤＡのようなパーソナルメディアを利用しながら、放送のような同報的情報配信が出来るものである。
【００１９】
最後に、特許文献６記載のタッチパネル手段を備える携帯情報処理装置には、携帯情報処理装置が外部ディスプレイに表示信号を送信してディスプレイの解像度に合わせて表示させることができる。
【００２０】
しかしながら、携帯通信端末と外部表示装置（外部受信装置、映像表示装置、テレビ画面等）とを接続することについて開示はあるが、単に携帯通信端末の出力を外部表示装置に表示させているのみである。すなわち、外部入力装置と外部表示装置との組み合わせによる構成に合わせて、外部表示装置に表示させるユーザインターフェイス、所謂、ＧＵＩ（Ｇｒａｐｈｉｃａｌ  Ｕｓｅｒ  Ｉｎｔｅｒｆａｃｅ）の種類、レイアウトを変更するものでは無い。
【００２１】
例えば、外部入力装置と外部表示装置とを組み合わせた結果、例えばタブレット端末のようにタッチ入力対応している、もしくは、ノートパソコンのように対応していない、等の構成の違いによって最適なユーザインターフェイスは異なる。
【００２２】
すなわち、外部入力装置と外部表示装置との組み合わせがタッチ入力に対応していない場合は、マウス操作に適したＷｉｎｄｏｗｓＸＰ（登録商標）または、Ｗｉｎｄｏｗｓ７（登録商標）のような、小さな絵および記号で処理の内容または対象を表現したアイコンが並ぶユーザインターフェイスがユーザにとって操作しやすく、タッチ入力に対応している場合は、Ｗｉｎｄｏｗｓ８（登録商標）のような指で操作できるタイル型の大きなボタンが並ぶユーザインターフェイスがユーザにとって操作しやすい。
【００２３】
さらに、仮に携帯通信端末と、外部表示装置とを接続したとしても、携帯通信端末から操作する必要があり、電源の消耗も激しくなり、操作性を長い時間高く維持することが難しい。
【００２４】
本発明の目的は、携帯通信端末、外部表示装置、外部入力装置を接続した場合に、携帯通信端末が外部表示装置と外部入力装置の組み合わせによる最適なユーザインターフェイスを認識しつつ、それらの構成情報に応じたユーザインターフェイスをユーザに提供することができる通信接続システムおよび通信接続システムのプログラムを提供することである。
【００２５】
（１）
一局面に従う通信接続システムは、外部表示装置と、外部入力装置と、外部表示装置へ表示信号を出力する外部表示接続部および、外部入力装置と接続可能な外部入力接続部を有する携帯通信端末と、を含み、携帯通信端末は、外部入力装置からの入力信号を受け取ることにより、外部入力装置に対して、ユーザインターフェイス種別要請信号を送信する送信部と、外部入力装置からのユーザインターフェイス種別構成信号を受信する受信部と、ユーザインターフェイス種別構成信号に応じて携帯通信端末内に予め記録されたユーザインターフェイスを選定し、選定されたユーザインターフェイス画像を外部表示装置に供給して表示させる表示制御部と、を有するものである。
【００２６】
本発明にかかる通信接続システムは、外部表示装置と、外部入力装置と、外部表示装置へ表示信号を出力する外部表示接続部および、外部入力装置と接続可能な外部入力接続部を有する携帯通信端末と、を含む。
また、携帯通信端末は、外部入力接続部により外部入力装置からの入力信号を受け取ることにより、外部表示装置に対して、ユーザインターフェイス種別要請信号を送信する。受信部により、外部表示装置からのユーザインターフェイス種別構成信号を受信する。表示制御部によりユーザインターフェイス種別構成信号に応じて携帯通信端末内に予め記録されたユーザインターフェイスを選定し、選定されたユーザインターフェイス画像を外部表示装置に供給して表示させる。
【００２７】
この場合、携帯通信端末と、外部入力装置および外部表示装置とを、最適なユーザインターフェイスを選択し、容易に接続することができる。
すなわち、外部入力装置および外部表示装置の組み合わせによる構成に応じて外部表示装置に対して最適なユーザインターフェイスの表示を行なうことができる。例えば、ＷｉｎｄｏｗｓＸＰ（登録商標）、Ｗｉｎｄｏｗｓ７（登録商標）またはＷｉｎｄｏｗｓ８（登録商標）、ＭＡＣ（登録商標）などのユーザインターフェイスを構成に合わせて選択し、表示することができる。
【００２８】
その結果、携帯通信端末の操作を外部入力装置で行なうことができるとともに、携帯通信端末から、外部入力装置と外部表示装置の組み合わせによる構成に応じたユーザインターフェイスを外部表示装置で表示させることができるので、携帯通信端末の汎用性をさらに向上させることができる。
また、外部入力装置を用いることができるので、容易に入力操作を長時間行なうことができる。
【００２９】
（２）
第２の発明にかかる通信接続システムは、一局面に従う通信接続システムにおいて、外部表示装置は、表示部を含み、外部入力装置は、操作部を含み、操作部と表示部とが一体に設けられたタッチパネル式、操作部と表示部とが脱着可能に設けられた分離可能形式、および操作部と表示部とが分離して設けられた分離形式のいずれかであってもよい。
【００３０】
この場合、外部表示装置および外部入力装置が一体となったタッチパネル式、外部表示装置および外部入力装置が分離可能形式、外部表示装置および外部入力装置が分離して設けられる分離形式のいずれにおいても、外部入力装置と外部表示装置の組み合わせによる構成に応じたユーザインターフェイスを外部表示装置で表示させることができる。
【００３１】
（３）
第３の発明にかかる通信接続システムは、一局面に従う通信接続システムにおいて、外部入力装置および外部表示装置の少なくとも一方は、少なくとも操作部および表示部を含み、操作部と表示部とが一体に設けられたタッチパネル式、操作部と表示部とが脱着可能に設けられた分離可能形式、および操作部と表示部とが分離して設けられた分離形式のいずれかであってもよい。
【００３２】
この場合、操作部と表示部とが一体に設けられたタッチパネル式、操作部と表示部とが脱着可能に設けられた分離可能形式、操作部と表示部とが分離して設けられた分離形式のいずれにおいても、外部入力装置と外部表示装置の組み合わせによる構成に応じたユーザインターフェイスを外部表示装置で表示させることができる。
具体的には、操作部および表示部が一体に設けられた外部入力装置または外部表示装置、操作部と表示部とが脱着可能に設けられた外部入力装置または外部表示装置、操作部および表示部が分離して設けられた外部入力装置または外部表示装置、が挙げられる。
【００３３】
（４）
第４の発明にかかる通信接続システムは、一局面または第２、第３の発明にかかる通信接続システムにおいて、携帯通信端末は、外部表示接続部および外部入力接続部に応じて、送信部、受信部および表示制御部を自動的に動作させてもよい。
【００３４】
この場合、携帯通信端末は、外部表示接続部および外部入力接続部を自動的に認識し、送信部、受信部および表示制御部が従動して動作する。その結果、自動的に送信部からユーザインターフェイス種別要請信号が発信され、受信部からユーザインターフェイス種別構成信号に応じて携帯通信端末内に予め記録されたユーザインターフェイスを選定し、表示制御部により外部表示装置に表示される。
すなわち、自動的に外部表示装置に表示させることができる。
【００３５】
（５）
第５の発明にかかる通信接続システムは、一局面または第２、第３の発明にかかる通信接続システムにおいて、ユーザインターフェイス種別の中から一の動作モードを選定することができる選定部を有してもよい。
【００３６】
この場合、選定部によりユーザインターフェイス種別の中から一の動作モードを選定することができる。
例えば、外部入力装置と外部表示装置の組み合わせの構成に関わらず、所定のユーザインターフェイスによる動作モードで、外部表示装置に、表示させることができる。
具体的には、スマートフォン２００に「Ａｕｔｏ」「固定」を選択できるスイッチを設け、そのスイッチが「Ａｕｔｏ」に設定されている場合は外部入力装置と外部表示装置との組み合わせの構成によってユーザインターフェイスを選定し、「固定」に設定されている場合は、外部入力装置と外部表示装置との組み合わせの構成にかかわらず予め設定されているユーザインターフェイスによる動作モードとすることができる。
なお、スイッチはボタンスイッチまたは、スライドスイッチ、ダイアル式のスイッチ等を用いてもよく、物理的な形状を持ったスイッチでもよく、また、スマートフォン２００のタッチパネル画面上にスイッチを表示するソフトウェアによって実現してもよい。
【００３７】
（６）
第６の発明にかかる通信接続システムは、一局面乃至第５の発明にかかる通信接続システムにおいて、外部入力装置は、電源制御部を有し、電源制御部は、携帯通信端末および外部表示装置へ電源供給の制御を行ってもよい。
【００３８】
この場合、通信接続システムは、携帯通信端末または外部表示装置の充電がなくなった場合に、外部入力装置の電源制御部から充電することができる。
【００３９】
（７）
他の局面に従う通信接続システムのプログラムは、外部表示装置、外部入力装置、および外部表示装置へ表示信号を出力する外部表示接続部および、外部入力装置と接続可能な外部入力接続部を有する携帯通信端末に用いる通信接続システムのプログラムであって、携帯通信端末は、外部入力装置からの入力信号を受け取ることにより、外部入力装置に対して、ユーザインターフェイス種別要請信号を送信する送信処理と、外部入力装置からのユーザインターフェイス種別構成信号を受信する受信処理と、ユーザインターフェイス種別構成信号に応じて携帯通信端末内に予め記録されたユーザインターフェイスを選定し、選定されたユーザインターフェイス画像を外部表示装置に供給して表示させる表示制御処理と、を有する。
【００４０】
本発明にかかる通信接続システムのプログラムは、外部表示装置、外部入力装置、外部表示装置へ表示信号を出力する外部表示接続部および、外部入力装置と接続可能な外部入力接続部を有する携帯通信端末に用いる通信接続システムのプログラムである。
また、携帯通信端末は、送信処理により外部入力装置からの入力信号を受け取ることにより、外部入力装置に対して、ユーザインターフェイス種別要請信号を送信する。受信処理により、外部入力装置からのユーザインターフェイス種別構成信号を受信する。表示制御処理によりユーザインターフェイス種別構成信号に応じて携帯通信端末内に予め記録されたユーザインターフェイスを選定し、選定されたユーザインターフェイス画像を外部表示装置に供給して表示させる。
【００４１】
この場合、携帯通信端末と、外部入力装置および外部表示装置とを、最適なユーザインターフェイスを選択し、容易に接続することができる。
すなわち、外部入力装置および外部表示装置のインターフェイス種別に応じて表示を行なうことができる。
その結果、携帯通信端末の操作を外部入力装置で行なうことができるとともに、携帯通信端末から、外部入力装置と外部表示装置との組み合わせによる構成に応じたユーザインターフェイスを外部表示装置で表示させることができるので、携帯通信端末の汎用性をさらに向上させることができる。
【図面の簡単な説明】
【００４２】
【図１】第１の実施の形態にかかる通信接続システムの一例を説明するための模式図である。
【図２】通信接続システムの内部構成の一例を示す模式図である。
【図３】通信接続システムの接続の一例を示すフローチャートである。
【図４】通信接続システムの内部構成の他の例を示す模式図である。
【図５】第２の実施の形態にかかる通信接続システムの一例を説明するための模式図である。
【図６】第２の実施の形態にかかる通信接続システムの接続の一例を示すフローチャートである。
【図７】第３の実施の形態にかかる通信接続システムの一例を説明するための模式図である。
【図８】第４の実施の形態にかかる通信接続システムの一例を説明するための模式図である。
【図９】第５の実施の形態にかかる通信接続システムの一例を説明するための模式図である。
【発明を実施するための最良の形態】
【００４３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４４】
（第１の実施の形態）
図１は、第１の実施の形態にかかる通信接続システム１００の一例を説明するための模式図であり、図２は、通信接続システム１００の内部構成の一例を示す模式図であり、図３は、通信接続システム１００の接続の一例を示すフローチャートである。
【００４５】
図１および図２に示すように、通信接続システム１００は、スマートフォン２００、キーボード３００、マウス３９０およびディスプレイ４００を含む。
【００４６】
（ディスプレイ）
図１および図２に示すディスプレイ４００は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）のインターフェイスを有し、メモリ（ＥＤＩＤ（Ｅｘｔｅｎｄｅｄ  ｄｉｓｐｌａｙ  ｉｄｅｎｔｉｆｉｃａｔｉｏｎ  ｄａｔａ）情報）４１０を含む。
【００４７】
（キーボード）
また、図１および図２に示すキーボード３００は、バッテリ３１０、電源制御部３２０、ＨＤＭＩｔｏＭＨＬ変換部３３０、デバイス制御部３４０および内部機能３５０を含む。
なお、バッテリ３１０の代わりに、ＡＣアダプタ、内蔵電源、電池、充電池のうち、１または複数の装置を設けてもよい。
【００４８】
（スマートフォン）
次に、図１および図２に示すスマートフォン２００は、外部入力接続部２３０、外部表示接続部２４０、および表示制御部２７０を含む。外部入力接続部２３０は、内部に送信部２５０および受信部２６０を含む。
【００４９】
外部入力接続部２３０は、後述するように、外部入力装置であるキーボード３００と接続を行ない、外部表示接続部２４０は、外部表示装置であるディスプレイ４００と接続、もしくはキーボード３００を介してディスプレイ４００と接続を行なうものである。
【００５０】
なお、上記の場合における外部入力接続部２３０と外部表示接続部２４０は有線接続でもよく、無線接続可能な構成であってもよい。
また、送信部２５０および受信部２６０は、ユーザインターフェイス種別を示すユーザインターフェイス種別構成信号である構成確認信号、ユーザインターフェイス種別要請信号である要請確認信号を送受信するものである。
【００５１】
表示制御部２７０は、内部にユーザインターフェイスのＷｉｎｄｏｗｓ７（登録商標）モード、Ｗｉｎｄｏｗｓ８（登録商標）モード、ＭＡＣ（登録商標）モード等の各モードを有する。これら、各モードは、タッチ入力に適したタイル型の大きなボタンが並ぶユーザインターフェイスや、マウス入力に適した小さなアイコンが並ぶユーザインターフェイスなど、ディスプレイ４００とキーボード３００の組み合わせによる構成情報に応じたユーザインターフェイスである。
【００５２】
（マウス）
次いで、本実施の形態にかかるマウス３９０は、キーボード３００のデバイス制御部３４０と接続可能に設けられる。なお、当該接続は、有線接続でもよく、無線接続可能な構成であってもよい。さらに、マウス３９０は、必須ではなく、その他の任意の装置であってもよく、設けなくてもよい場合も含む。
【００５３】
（接続概略説明）
まず、図１および図２に示すように、ディスプレイ４００に対して、キーボード３００から通信線を用いて接続を行なう。すなわち、この通信線を使用して、スマートフォン２００からキーボード３００を介してディスプレイ４００へ、ユーザインターフェイスの画像信号をディスプレイ４００に表示するための情報が送受信される。
【００５４】
スマートフォン２００はディスプレイ４００の固有情報または画面の解像度、リフレッシュレートなどのディスプレイ４００が表示対応可能な画面モード情報を、通信線を使用して取得する。
【００５５】
具体的には、例えばディスプレイ４００内のメモリ４１０内に記録されているＥＤＩＤを、ＶＥＳＡで規定されているＤＤＣ（Ｄｉｓｐｌａｙ  Ｄａｔａ  Ｃｈａｎｎｅｌ）を使用して取得する。
スマートフォン２００は自身が対応可能な画面モードを上限として、そのディスプレイ４００の画面モードに合わせた表示設定を外部表示接続部２４０に対して実施する。
【００５６】
スマートフォン２００からキーボード３００を介してディスプレイ４００へ各情報を送受信する場合、スマートフォン２００の外部表示接続部２４０が対応しているインターフェイスとディスプレイ４００側のインターフェイスを接続可能なように、相互に変換する機能をキーボード３００に持たせてもよい。
【００５７】
具体的には、図２に示すように、キーボード３００はＨＤＭＩｔｏＭＨＬ変換部３３０により、画像信号の伝送について、スマートフォン２００の外部表示接続部２４０がＭＨＬ（モバイル・ハイデフニション・リンク、Ｍｏｂｉｌｅ  Ｈｉｇｈ−ｄｅｆｉｎｉｔｉｏｎ  Ｌｉｎｋ）インターフェイスであった場合、ＭＨＬインターフェイスをキーボード３００にてＨＤＭＩ（登録商標）インターフェイスに変換し、ディスプレイ４００に伝送する。なお、ここで、ＨＤＭＩｔｏＭＨＬ変換部３３０は、ＨＤＭＩ（登録商標）をＭＨＬへ変換することができ、ＭＨＬをＨＤＭＩ（登録商標）へ変換することができるものである。
【００５８】
なお、スマートフォン２００の外部表示接続部２４０がＨＤＭＩ（登録商標）インターフェイスであった場合、キーボード３００はＨＤＭＩｔｏＭＨＬ変換部３３０により、画像信号の伝送について、スマートフォン２００の外部表示接続部２４０からの信号をＨＤＭＩｔｏＭＨＬ変換部３３０を介してディスプレイ４００に伝送する構成でもよい。
この場合のＨＤＭＩｔｏＭＨＬ変換部３３０は、スマートフォン２００の外部表示接続部２４０とディスプレイ４００との間でＨＤＭＩ（登録商標）信号を相互に受け渡すものとなる。
【００５９】
なお、本実施の形態においては、ディスプレイ４００およびキーボード３００の間をＨＤＭＩ（登録商標）などの有線接続としているが、これに限定されず、無線接続、例えば、無線ＬＡＮを利用して画像データを伝送する無線接続またはワイヤレスＨＤＭＩ（登録商標）などの任意の接続を利用してもよい。
【００６０】
また、図１および図２に示すように、キーボード３００とスマートフォン２００とを接続する。この場合、例えば、スマートフォン２００とキーボード３００との接続が無線接続、例えばｂｌｕｅｔｏｏｔｈ（登録商標）によって接続される場合、スマートフォン２００を用いてキーボード３００へ近距離無線通信（ＮＦＣ）によりｂｌｕｅｔｏｏｔｈ（登録商標）接続のための認証情報を取得し、ｂｌｕｅｔｏｏｔｈ（登録商標）による接続を行なう。
【００６１】
その結果、スマートフォン２００はキーボード３００を自身に接続されたＢｌｕｅｔｏｏｔｈ（登録商標）キーボードとして認識し、外部入力装置として使用可能に設定し、キーボード３００からの入力によってディスプレイ４００に表示されたユーザインターフェイスを操作可能なように設定する。なお、操作可能なように設定するソフトウェアプログラムは、デバイスドライバとしてスマートフォン２００に予めインストールしておけばよい。もちろん、キーボード３００がＢｌｕｅｔｏｏｔｈ（登録商標）以外の無線通信、例えば無線ＬＡＮなどに対応している場合は、その無線通信用の認証情報も取得してもよい。
【００６２】
また、本実施の形態においては、ＮＦＣによる認証および接続を説明したが、これに限定されず、例えばキーボード３００がＨＤＭＩｔｏＭＨＬ変換部３３０を持っている場合、スマートフォン２００とキーボード３００は、ＭＨＬを使用したインターフェイスによってスマートフォン２００の外部表示接続部２４０とキーボード３００のＨＤＭＩｔｏＭＨＬ変換部３３０が接続された場合に、スマートフォン２００の外部表示接続部２４０とキーボード３００のＨＤＭＩｔｏＭＨＬ変換部３３０との間でＭＨＬのＲＣＰコマンドを用いて認証情報の受け渡しを行なってもよい。
【００６３】
なお、スマートフォン２００がキーボード３００とＭＨＬインターフェイスによって接続されているかどうかの確認は、例えば、有線接続の場合は、キーボード３００に対して物理的にコネクタが接続されているかどうか、またはＭＨＬインターフェイスの信号レベルにより判定してもよく、また、無線接続である場合は、リンクが確立しているかどうか、によって判定してもよい。
【００６４】
また、スマートフォン２００は、キーボード３００に貼り付けられた、もしくは添付されているＱＲコード（登録商標）を撮像することによって認証情報を取得してもよく、ＨＤＭＩ−ＣＥＣを用いてもよい。
【００６５】
例えば、キーボード３００が有するＨＤＭＩｔｏＭＨＬ変換部３３０により、スマートフォン２００とキーボード３００とは、ＨＤＭＩ（登録商標）インターフェイスによって接続された場合に、スマートフォン２００の外部表示接続部２４０とキーボード３００のＨＤＭＩｔｏＭＨＬ変換部３３０との間でＣＥＣコマンドを使用して認証情報の受け渡しをおこない、自動的に認証処理を完了させることができる。
なお、この場合、スマートフォン２００の外部表示接続部２４０がＨＤＭＩ（登録商標）インターフェイスであり、ＨＤＭＩｔｏＭＨＬ変換部３３０はスマートフォン２００の外部表示接続部２４０とディスプレイ４００との間でＨＤＭＩ（登録商標）信号を相互に受け渡すものとなる。
【００６６】
また、本実施例では、キーボード３００をスマートフォン２００の外部入力装置として接続するインターフェイスとして、ディスプレイ４００に画像を伝送するために使用するインターフェイスとは別のインターフェイスであるＢｌｕｅｔｏｏｔｈ（登録商標）を使用しているが、画像伝送に使用するインターフェイスを利用しても良い。
例えば、キーボード３００が有するＨＤＭＩｔｏＭＨＬ変換部３３０により、スマートフォン２００とキーボード３００との間のＭＨＬインターフェイスを利用してキーボード３００をスマートフォン２００の外部入力装置として認識させることができる。
【００６７】
また、画像伝送に利用可能なＭＨＬインターフェイスはＵｎｉｃｏｄｅキャラクタ伝送が可能であるため、外部入力装置用のインターフェイスとして利用可能である。その場合は、キーボード３００とスマートフォン２００とを接続するための認証が不要となり、またキーボード３００とｂｌｕｅｔｏｏｔｈ（登録商標）接続する必要が無いため、スマートフォン２００の消費電力を削減できる。
【００６８】
なお、本実施の形態においては、後述するが、スマートフォン２００とキーボード３００およびディスプレイ４００が接続された後、スマートフォン２００は、無線ＬＡＮのアクセスポイントとして動作しスマートフォン２００を経由して３Ｇ回線、ＬＴＥ等を使用してインタ・BR>[ネット回線に接続可能な、いわゆる、テザリングモードで動作する。
【００６９】
（具体的接続動作）
続いて、図２および図３を用いて通信接続システム１００における具体的動作について説明を行なう。
【００７０】
図２および図３に示すように、キーボード３００からの信号またはスマートフォン２００自身の操作によりスマートフォン２００の表示制御部２７０内のアプリケーションソフトプログラム２１０が起動される（ステップＳ１）。
【００７１】
アプリケーションソフトプログラム２１０の起動により、スマートフォン２００の外部入力接続部２３０の送信部２５０から、ユーザインターフェイス種別要請信号をキーボード３００に送信するように指示する（ステップＳ２）。
【００７２】
キーボード３００は、自身にディスプレイ４００が接続されているか否かを確認し、ユーザインターフェイス種別要請信号に応じて、ディスプレイ４００の接続有無情報をユーザインターフェイス種別要請信号に付加する（ステップＳ３）。
【００７３】
なお、ディスプレイ４００が接続されているかどうかの判定は、例えば、通信線が有線接続の場合は、キーボード３００に対して物理的に通信線が接続されているかどうか、または通信線の信号レベルにより判定してもよく、また、無線接続である場合は、リンクが確立しているかどうか、によって判定してもよい。
【００７４】
続いて、キーボード３００は、自己のシステム情報をユーザインターフェイス種別要請信号にさらに付加し、ユーザインターフェイス種別構成信号としてスマートフォン２００へ送信する（ステップＳ４）。
【００７５】
ここで、具体的にシステム情報とは、キーボード３００がスマートフォン２００に対して外部入力装置としてどの様な機能を提供することが可能か、という情報であり、例えばキーボード、マウス、トラックボール、静電容量式タッチパッド、及び、それらの複合装置といった情報である。スマートフォン２００はその情報を基に、キーボード３００を自身の外部入力装置として使用可能に設定する。
【００７６】
なお、キーボード３００は、ディスプレイ４００が自身に接続されていないと判定した場合は、接続されていない旨をユーザインターフェイス種別要請信号に付加してユーザインターフェイス種別構成信号としてスマートフォン２００に送信する。
そうした場合、スマートフォン２００はディスプレイ４００が存在しないことを認識し、外部表示接続部２４０からユーザインターフェイス画像を出力しない構成をとることができるため、スマートフォン２００が消費する電力を節約できる。
【００７７】
スマートフォン２００は、システム情報およびユーザインターフェイス種別構成信号を認識する（ステップＳ５）。第１の実施の形態における通信接続システム１００は、ディスプレイ４００とキーボード３００とマウス３９０とが接続され、ディスプレイ４００は、入力部を特に有さないため、ユーザインターフェイスは小さなアイコンが並ぶＷｉｎｄｏｗｓ７（登録商標）モードとして設定を行なう。
【００７８】
したがって、図１に示す通信接続システム１００の場合、スマートフォン２００の表示制御部２７０は、例えば、Ｗｉｎｄｏｗｓ７（登録商標）モードであると判定し、ディスプレイ４００に対し、Ｗｉｎｄｏｗｓ７（登録商標）モードで表示可能な状態として設定を行なう。
【００７９】
スマートフォン２００は、映像および音信号を、ユーザインターフェイスにあわせて変換を行なう（ステップＳ６）とともに、キーボード３００のシステム情報に応じて入力信号の操作が可能となるように設定を行なう（ステップＳ７）。
【００８０】
具体的には、映像信号をユーザインターフェイスにあわせて外部表示接続部２４０からディスプレイ４００に表示させ、音声をディスプレイ４００に内蔵されたサウンドカードにあわせて外部表示接続部２４０から音声信号を調整して出力する。
【００８１】
なお、この実施例では、ディスプレイ４００がスピーカーを備えている場合を記載しているが、キーボード３００がスピーカーを備えていてもよい。例えば、スマートフォン２００の外部入力接続部２３０とキーボード３００との接続がＢｌｕｅｔｏｏｔｈ（登録商標）による接続であった場合、キーボード３００はスマートフォン２００に対してＢｌｕｅｔｏｏｔｈ（登録商標）接続のスピーカーとしての機能を提供するように構成してもよい。
【００８２】
また、スマートフォン２００は、自身の電池残量を認識し、不足すると判定した場合には、キーボード３００に内蔵されたバッテリ３１０から充電を行なう（ステップＳ８）。この場合、バッテリ３１０から例えば、ＭＨＬのＭｉｃｒｏＵＳＢの電源ラインを用いてスマートフォン２００に電気を供給することができる。
【００８３】
また、スマートフォン２００は、自身をテザリングモードとして稼動させ（ステップＳ９）、キーボード３００からの信号を受信できるよう外部入力接続部２３０を設定し、待機する（ステップＳ１０）。
【００８４】
その結果、キーボード３００を操作することにより、スマートフォン２００の操作を間接的に行なうことができる。したがって、キーボード３００を操作し、スマートフォン２００に記録された映像および音信号を変換し、ディスプレイ４００に表示再生させることができる。
【００８５】
例えば、キーボード３００を操作することにより、ディスプレイ４００の電源のオンオフを操作でき、再生停止または録画等を操作することもできる。
すなわち、ワンタッチレコード、システムスタンバイ、タイマープログラミング、プリセットダウンロード等の任意の操作を実施することができる。
【００８６】
なお、この実施例ではスマートフォン２００、キーボード３００、ディスプレイ４００が接続されキーボード３００とディスプレイ４００の組み合わせによる構成に合わせてユーザインターフェイスを決定すると共に、自動的にスマートフォン２００はテザリングモードを起動する構成としているが、それ以外にも、スマートフォン２００は、例えば、スマートフォン２００のタッチ入力対応表示画面にカレンダー機能をユーザに提供するアプリケーションや、数字入力に特化したテンキー画面を表示するなどの補助的な入力装置として機能させるアプリケーションを起動するなど、キーボード３００とディスプレイ４００の組み合わせによる構成に合わせて任意のアプリケーションを自動的に起動するような構成としてもよい。
【００８７】
すなわち、ユーザはスマートフォン２００を中心として、キーボード３００とディスプレイ４００により、ユーザインターフェイスなど画像表示を含めた快適な入出力環境が実現でき、スマートフォン２００のテザリング機能により他のネットワーク機器との無線接続やインターネットアクセスが可能となり、更に任意のアプリケーションを自動的に起動することによりユーザの利便性が増す。
【００８８】
なお、ディスプレイ４００がＨＤＭＩ（登録商標）ではなく、ＭＨＬの場合には、ＨＤＭＩｔｏＭＨＬ変換部３３０を使用して映像および音信号を変換することなく、ディスプレイ４００にスマートフォン２００を直接接続することにより表示させることができる。
【００８９】
また、本実施の形態においては、スマートフォン２００、キーボード３００およびディスプレイ４００が接続された場合、キーボード３００とディスプレイ４００との組み合わせによる構成に合わせて、ユーザインターフェイスを決定するとしているが、これに限定されず、スマートフォン２００で動作するＯＳを切り換えることにより、最適なユーザインターフェイスを選定してもよい。例えば、スマートフォン２００で動作するＯＳ上に仮想的なＰＣ（所謂、仮想ＰＣ）を作成し、作成した仮想ＰＣ内で別のＯＳを動作させ、別のＯＳのユーザインターフェイスをディスプレイ４００に表示させてもよい。
【００９０】
また、図４は、第１の実施の形態にかかる通信接続システム１００の他の例を示す模式図である。
図４に示すように、ディスプレイ４００が、タッチパネル制御部４２０を含む場合、図２のマウス３９０が不要となるため、図示を省略する。なお、図４の場合においても、マウス３９０を備えてもよい。
【００９１】
図４に示すディスプレイ４００においては、タッチパネル制御部４２０は、ＵＳＢインターフェイスによりデバイス制御部３４０と接続される。
【００９２】
（第２の実施の形態）
図５は、第２の実施の形態にかかる通信接続システム１００ａの一例を説明するための模式図であり、図６は、第２の実施の形態にかかる通信接続システム１００ａの一例を示すフローチャートである。
【００９３】
第２の実施の形態においては、第１の実施の形態と異なる点についてのみ説明し、同じ部分については説明を省略する。
【００９４】
図５に示すように、第２の実施の形態にかかる通信接続システム１００ａは、スマートフォン２００およびタッチパネル式ディスプレイ５００を含む。
【００９５】
図５に示すタッチパネル式ディスプレイ５００は、タブレット端末からなる。タッチパネル式ディスプレイ５００は、表示部として映像を再生可能なディスプレイと操作部として操作性を有するタッチパネルとが一体に形成されている。
【００９６】
なお、タッチパネル式ディスプレイ５００は、必ずしも高性能なＣＰＵ（Ｃｅｎｔｒａｌ  Ｐｒｏｃｅｓｓｉｎｇ  Ｕｎｉｔ）とＯＳ（Ｏｐｅｒａｔｉｎｇ  Ｓｙｓｔｅｍ）を備えている必要は無く、単にタブレット端末のような形状であればよい。すわなち、高性能なＣＰＵとＯＳとの役割はスマートフォン２００が担う。
【００９７】
図５に示すタッチパネル式ディスプレイ５００は、ＭＨＬからなる。すなわち、スマートフォン２００とタッチパネル式ディスプレイ５００の表示部との接続はＭＨＬインターフェイスにより接続される。
【００９８】
スマートフォン２００は、タッチパネル式ディスプレイ５００の操作部と近距離無線通信（ＮＦＣ）により認証情報を取得し、ｂｌｕｅｔｏｏｔｈ（登録商標）による接続を行なう。
【００９９】
第１の実施の形態と同様に、第２の実施の形態においても、スマートフォン２００は、ＭＨＬのＲＣＰコマンドを用いて認証情報の受け渡しを行なってもよい。また、スマートフォン２００は、ＱＲコード（登録商標）を用いてもよく、ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）を用いてもよい。
【０１００】
続いて、図６に示すように、タッチパネル式ディスプレイ５００からの信号またはスマートフォン２００自身の操作によりスマートフォン２００に記録されたアプリケーションソフトプログラム２１０が起動される（ステップＳ１１）。
アプリケーションソフトプログラム２１０の起動により、スマートフォン２００の外部入力接続部２３０から送信部２５０を介してタッチパネル式ディスプレイ５００へ、ユーザインターフェイス種別要請信号を送信するように指示される（ステップＳ１２）。
タッチパネル式ディスプレイ５００は、ユーザインターフェイス種別要請信号に応じて、自己のシステム情報および表示部を持つ旨を示す信号をユーザインターフェイス種別要請信号に付加してユーザインターフェイス種別構成信号として送信する（ステップＳ１３）。
【０１０１】
スマートフォン２００は、システム情報およびユーザインターフェイス種別構成信号を認識する（ステップＳ１５）。図５に示す通信接続システム１００ａの場合、スマートフォン２００は、タッチパネル式ディスプレイ５００の表示部に表示するユーザインターフェイス画像として、例えば、タッチパネル式ディスプレイ５００に適した、タイル型のボタンが並ぶユーザインターフェイスであるＷｉｎｄｏｗｓ８（登録商標）モードとして設定を行なう。
【０１０２】
なお、ここで、Ｗｉｎｄｏｗｓ８（登録商標）モードとしたが、それに限定されず、Ｗｉｎｄｏｗｓ７（登録商標）モードを選定してもよい。
スマートフォン２００は、映像および音信号を、システム情報およびユーザインターフェイスにあわせて変換を行なう（ステップＳ１６）。
【０１０３】
また、スマートフォン２００は、タッチパネル式ディスプレイ５００のシステム情報に応じて入力信号の操作が可能となるように設定を行なう（ステップＳ１７）。
【０１０４】
具体的には、映像信号をユーザインターフェイスにあわせて、外部表示接続部２４０からタッチパネル式ディスプレイ５００の表示部に表示させ、音声をタッチパネル式ディスプレイ５００に内蔵されたサウンドカードにあわせて外部表示接続部２４０から音声信号を調整して出力する。
【０１０５】
スマートフォン２００は、自身の電池残量を認識し、不足すると判定した場合には、タッチパネル式ディスプレイ５００に内蔵されたバッテリ３１０（図１または図２参照）から充電を行なう（ステップＳ１８）。この場合、バッテリ３１０（図１参照）から例えば、ＭＨＬのＭｉｃｒｏＵＳＢの電源ラインを用いてスマートフォン２００に電気を供給することができる。
【０１０６】
また、スマートフォン２００は、無線ＬＡＮのアクセスポイントとして動作しスマートフォン２００を経由して３Ｇ回線、ＬＴＥ等を使用してインターネット回線に接続可能な、いわゆる、テザリングモードで動作させ（ステップＳ１９）、タッチパネル式ディスプレイ５００からの信号を受信できるよう外部入力接続部２３０を設定し、待機する（ステップＳ２０）。
【０１０７】
その結果、タッチパネル式ディスプレイ５００のタッチパネルを操作することにより、スマートフォン２００の操作を間接的に行なうことができる。したがって、タッチパネルを操作し、スマートフォン２００の映像および音信号を変換し、タッチパネル式ディスプレイ５００に表示再生させることができる。
【０１０８】
例えば、タッチパネル式ディスプレイ５００を操作することにより、スマートフォン２００の電源のオンオフを操作でき、再生停止または録画等を操作することができる。
すなわち、ワンタッチレコード、システムスタンバイ、タイマープログラミング、プリセットダウンロード等の任意の操作を実施することができる。
【０１０９】
なお、この実施例ではスマートフォン２００、タッチパネル式ディスプレイ５００が接続されタッチパネル式ディスプレイ５００の操作部と表示部の組み合わせによる構成に合わせてユーザインターフェイスを決定すると共に、自動的にスマートフォン２００はテザリングモードを起動する構成としているが、それ以外にも、スマートフォン２００は、例えば、スマートフォン２００のタッチ入力対応表示画面にカレンダー機能をユーザに提供するアプリケーションまたは、数字入力に特化したテンキー画面を表示するなどの補助的な入力装置として機能させるアプリケーションを起動するなど、タッチパネル式ディスプレイ５００の操作部と表示部の組み合わせによる構成に合わせて任意のアプリケーションを自動的に起動するような構成としてもよい。
【０１１０】
すなわち、ユーザはスマートフォン２００を中心として、タッチパネル式ディスプレイ５００により、ユーザインターフェイスなど画像表示を含めた快適な入出力環境が実現でき、スマートフォン２００のテザリング機能により他のネットワーク機器との無線接続またはインターネットアクセスが可能となり、更に任意のアプリケーションを自動的に起動することによりユーザの利便性が増す。
【０１１１】
なお、スマートフォン２００の外部表示接続部２４０がＭＨＬインターフェイスであり、タッチパネル式ディスプレイ５００がＭＨＬではなく、ＨＤＭＩ（登録商標）の場合には、映像および音信号をＭＨＬインターフェイスからＨＤＭＩ（登録商標）インターフェイスに変換する必要がある。
そのため、スマートフォン２００の外部表示接続部２４０と接続されるタッチパネル式ディスプレイ５００のユーザインターフェイスと同じであることが望ましい。もしくは、スマートフォン２００の外部表示接続部２４０と接続可能な変換部を内包することが望ましい。
【０１１２】
（第３の実施の形態）
以下、第３の実施の形態について説明する。第３の実施の形態においては、第１または第２の実施の形態と異なる点についてのみ説明し、同じ部分については説明を省略する。
【０１１３】
図７は、第３の実施の形態にかかる通信接続システム１００ｂの一例を説明するための模式図である。
【０１１４】
図７に示すように、通信接続システム１００ｂは、スマートフォン２００およびノートパソコン６００を含む。
なお、ノートパソコン６００は、必ずしも高性能なＣＰＵとＯＳを備えている必要は無く、単にノートパソコンのような形状であればよい。すわなち、高性能なＣＰＵとＯＳとの役割はスマートフォン２００が担い、図７のように、操作部と表示部が脱着可能に設けられた分離可能形式、および操作部と表示部とが分離して設けられた分離形式を含む。
【０１１５】
図７に示すノートパソコン６００は、タッチパネル表示画面を有する。また、タッチパネル表示画面と、キーボードの入力部分とは、脱着可能に設けられる。
スマートフォン２００は、ノートパソコン６００と近距離無線通信（ＮＦＣ）により他方の認証情報を取得し、ｂｌｕｅｔｏｏｔｈ（登録商標）による接続を行なう。
【０１１６】
なお、第３の実施の形態においては、第２の実施の形態にかかる通信接続システム１００ａのフローチャートと同じ処理を行なう。タッチパネル式ディスプレイ５００の代わりに、ノートパソコン６００が用いられる。
【０１１７】
なお、本実施の形態においては、タッチパネルの表示画面であるので、Ｗｉｎｄｏｗｓ８（登録商標）を設定することとしたが、これに限定されず、Ｗｉｎｄｏｗｓ７（登録商標）を設定してもよく、その他、任意の設定を行なってもよい。
【０１１８】
さらに、本実施の形態においては、ノートパソコン６００を用いることとしているが、これに限定されず、有線または無線のマウス、マイク、ヘッドフォン、ウェブカメラ等の任意の機器をさらに付加して接続してもよい。
【０１１９】
（第４の実施の形態）
図８は、第４の実施の形態にかかる通信接続システム１００ｃの一例を説明するための模式図である。第４の実施の形態においても同様に第１乃至第３の実施の形態の通信接続システム１００，１００ａ，１００ｂと異なる点についてのみ説明し、同じ部分については説明を省略する。
【０１２０】
図８に示すように、第４の実施の形態にかかる通信接続システム１００ｃは、スマートフォン２００およびキーボード３００とからなる。すなわち、第１の実施の形態にかかる通信接続システム１００のディスプレイ４００およびマウス３９０を外した状態である。
【０１２１】
スマートフォン２００は、キーボード３００と近距離無線通信（ＮＦＣ）により他方の認証情報を取得し、ｂｌｕｅｔｏｏｔｈ（登録商標）による接続を行なう。
【０１２２】
第１乃至第３の実施の形態と同様に、第４の実施の形態においても、スマートフォン２００は、ＭＨＬ（モバイル・ハイデフニション・リンク、Ｍｏｂｉｌｅ  Ｈｉｇｈ−ｄｅｆｉｎｉｔｉｏｎ  Ｌｉｎｋ）のＲＣＰコマンドを用いて認証情報の受け渡しを行なってもよい。また、スマートフォン２００は、ＱＲコード（登録商標）を用いてもよく、ＨＤＭＩ−ＣＥＣを用いてもよい。
【０１２３】
第４の実施の形態における通信接続システム１００ｃは、図３のフローチャートと同様の動作を実施する。
【０１２４】
その結果、キーボード３００を操作することにより、スマートフォン２００の操作を間接的に行なうことができる。したがって、キーボード３００を操作し、スマートフォン２００を操作することができる。
【０１２５】
以上のように、第１から第４の実施の形態の個々の通信接続システム１００，１００ａ，１００ｂ，１００ｃにおいては、スマートフォン２００、キーボード３００およびディスプレイ４００、スマートフォン２００およびタッチパネル式ディスプレイ５００、スマートフォン２００およびノートパソコン６００、スマートフォン２００およびキーボード３００、とを容易に接続することができる。
【０１２６】
すなわち、キーボード３００、ディスプレイ４００、タッチパネル式ディスプレイ５００、ノートパソコン６００で利用可能なユーザインターフェイス種別に応じてモードを選定し、表示を行なわせることができる。
【０１２７】
なお、第１乃至第４の実施の形態においては、自動的にＷｉｎｄｏｗｓ８（登録商標）モードまたはＷｉｎｄｏｗｓ７（登録商標）モードを選定することとしたが、これに限定されず、手動で選定してもよく、その他の任意の手法で選定させてもよい。
【０１２８】
その結果、スマートフォン２００の操作をキーボード３００、タッチパネル式ディスプレイ５００およびノートパソコン６００のいずれかを用いて行なうことができるとともに、スマートフォン２００の表示をディスプレイ４００、タッチパネル式ディスプレイ５００、ノートパソコン６００をそれぞれの構成情報に応じた最適なユーザインターフェイスで表示させることができるので、スマートフォン２００の小さい表示部で視認する必要がない。したがって、スマートフォン２００の汎用性をさらに向上させることができる。
【０１２９】
さらに、入力をキーボード３００等で行なうことができるため、長時間または長文等であっても操作性の低下を招くことを防止できる。
【０１３０】
また、外部入力接続部２３０および外部表示接続部２４０の接続状況に応じて、自動的に送信部２５０からユーザインターフェイス要請信号が発信され、受信部２６０によりユーザインターフェイス構成信号を受信し、スマートフォン２００の表示制御部２７０に予め記録されたユーザインターフェイスが選定され、自動的に表示制御部２７０からディスプレイ４００に表示させることができる。
【０１３１】
また、通信接続システム１００，１００ａ，１００ｂ，１００ｃは、スマートフォン２００またはディスプレイ４００の電力が低下または消失した場合に、キーボード３００のバッテリ３１０から充電することができる。
【０１３２】
（第５の実施の形態）
ついで、図９は、第５の実施の形態にかかる通信接続システム１００ｄの一例を示す模式図である。
【０１３３】
図９に示すように、第５の実施の形態にかかる通信接続システム１００ｄのキーボード３００は、他の入出力デバイスを接続可能な構成としてもよい。
その場合、キーボード３００に接続されたデバイスは、キーボード３００を経由してスマートフォン２００に接続される。
【０１３４】
図９に示すように、具体的に、キーボード３００とスマートフォン２００の外部入力接続部２３０との接続が、Ｂｌｕｅｔｏｏｔｈ（登録商標）インターフェイスであり、他の入出力デバイスの接続用にＵＳＢインターフェイスを持ち、そのＵＳＢインターフェイスにＵＳＢマウスが接続された場合、キーボード３００はデバイス制御部３４０によってキーボード３００に接続されたＵＳＢマウスを自身のシステム情報に付加し、マウス機能を持ったキーボード３００として振る舞う。
【０１３５】
例えばキーボード３００がキーボード機能を持ち、ＵＳＢマウスをキーボード３００に接続した場合、キーボード３００はスマートフォン２００に対してキーボードとマウスの複合Ｂｌｕｅｔｏｏｔｈ（登録商標）デバイスとして振る舞い、スマートフォン２００の外部入力接続部２３０に接続される。
【０１３６】
そして、スマートフォン２００はキーボード３００をキーボードとマウスとの複合Ｂｌｕｅｔｏｏｔｈ（登録商標）デバイスとして自身で使用可能に設定する。
当然のことながら、他の入出力デバイスはマウスに限らず、トラックボール、静電容量式タッチパッド、カメラ、マイク、スピーカーなど、任意のデバイスを接続可能としてもよい。
また、任意のデバイスとしてカメラ、またはマイクを接続している場合には、カメラから入力される画像情報、およびマイクからの音声情報を、例えばディスプレイ４００に表示されているユーザインターフェイスに対するジェスチャー操作、または音声操作情報として利用することができる。
【０１３７】
本発明においては、ディスプレイ４００が「外部表示装置」に相当し、キーボード３００が「外部入力装置」に相当し、外部表示接続部２４０が「外部表示接続部」に相当し、外部入力接続部２３０が「外部入力接続部」に相当し、スマートフォン２００が「携帯通信端末」に相当し、インターフェイス種別要請信号が「インターフェイス種別要請信号」に相当し、送信部２５０が「送信部」に相当し、受信部２６０が「受信部」に相当し、Ｗｉｎｄｏｗｓ７（登録商標）またはＷｉｎｄｏｗｓ８（登録商標）、ＭＡＣ（登録商標）が「ユーザインターフェイス」に相当し、表示制御部２７０が「表示制御部」、「選定部
」に相当し、通信接続システム１００，１００ａ，１００ｂ，１００ｃ，１００ｄが「通信接続システム」に相当し、タッチパネル式ディスプレイ５００が「タッチパネル式」に相当し、電源制御部３２０が「電源制御部」に相当する。
【０１３８】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１３９】
１００，１００ａ，１００ｂ，１００ｃ，１００ｄ  通信接続システム
２００  スマートフォン
２１０  アプリケーションソフトプログラム
２３０  外部入力接続部
２４０  外部表示接続部
２５０  送信部
２６０  受信部
３００  キーボード
３１０  バッテリ
４００  ディスプレイ
５００  タッチパネル式ディスプレイ
６００  ノートパソコン
【図１】
2018042260.tif 000003
【図２】
2018042260.tif 000004
【図３】
2018042260.tif 000005
【図４】
2018042260.tif 000006
【図５】
2018042260.tif 000007
【図６】
2018042260.tif 000008
【図７】
2018042260.tif 000009
【図８】
2018042260.tif 000010
【図９】
2018042260.tif 000011